(57)【特許請求の範囲】
【請求項１】
略直方体形状の枠体から成る外枠と、前記外枠の左右幅より小さい左右幅を有する多数の四辺形枠体を折り畳み自在に接続した内枠とから成り、
前記外枠は、略直方体形状の枠体の一対の相対向する一側面を前面、他側を後面とし、他対の相対向する各側面を左側及び右側とし、前面の上部の横棒及び後面下部の横棒を取り除き、左側および右側の上部水平棒の前後に、内側に向いた被係止突片を設け、左右の下部の水平棒に沿って前後に車輪を設け、
前記内枠の各四辺形枠体は、前後及び左右の幅が前記外枠の前後幅及び左右幅より小さい台座枠、当該台座枠の後方に背もたれ枠、当該背もたれ枠と同形同大の頭部枠を順次相互に回転自在に接続し、また、前記台座枠の前方に膝下枠、足載せ枠を順次相互に回転自在に接続し、これらの各枠体の内側には板状物又は網状物を張り、
前記背もたれ枠及び頭部枠の左右の棒から背もたれ脚及び頭部脚の基部を夫々回転自在に接続し、前記膝下枠の前端内側に膝下脚の基部を回転自在に接続し、
前記内枠の台座枠の左右の棒の前後に外側に向いた係止突片を設け、これらの係止突片は前記外枠の被係止突片と係合自在となっており、
前記頭部脚の先端を、前記台座枠の前部に係止自在とし、前記外枠の被係止突片に前記内枠の係止突片を係合し、台座枠の後部の背もたれ枠及び頭部枠を重ねて立て、頭部脚の先端を前記台座枠の前部に係止し、前記台座枠の前部の膝下枠を、台座枠の前部に垂下させ、足載せ枠を当該膝下枠の下部から略直角に折り曲げて固定する構成としたことを特徴とする、多機能型車椅子。
【請求項２】
前記台座枠の内側に張った部材は、取り外し自在な板体からなることを特徴とする、請求項１に記載の多機能型車椅子。
【請求項３】
前記取り外し自在な板体が中央部に透孔を有し、前記外枠に内枠の台座枠を係止して固定した際、外枠の後部内に洋式便器が挿入可能な空間を有することを特徴とする、請求項２に記載の多機能型車椅子。
【請求項４】
前記外枠内の後部に、気体又は液体の挿入により高さが変化する伸縮部材を挿入し、この伸縮部材の伸張により、前記台座枠を持ち上げて前記外枠との係合を解きまた、収縮により前記内枠の台座枠、背もたれ枠、頭部枠が外枠内に収納する構成としたことを特徴とする、請求項１又は２に記載の多機能型車椅子。
【請求項５】
前記台座枠の四隅にアングル材からなる垂直ガイドを鉛直に設け、前部の垂直ガイドは台座枠の上下に突出するようにし、後部の垂直ガイドは台座枠の上方にのみ突出するようにし、外枠の両側の枠体の前後に、前記垂直ガイドを摺動自在に受けるアングル材から成るレール材を、前記被係止突片の前方に位置するように、鉛直に設けたことを特徴とする、請求項４に記載の多機能型車椅子。
【発明の詳細な説明】
【技術分野】
【０００１】
この発明は、患者が車椅子に乗りながら浴槽に入ったり、トイレを使用したり、またベッドとしても使用できる多機能型車椅子に関するものである。
【背景技術】
【０００２】
従来、このような多機能型の車椅子は開発されている。例えば特許文献１に示すように、患者が座るシートと、患者の背部を受ける背凭れと、患者の膝から下を受けるレッグレストとから構成し、前記シートの後端は前記背凭れの下端から延長された回動板に枢着され、前記シートの前端は前記レッグレストに枢着された回動板に枢着され、前記２つの回動板の間には伸縮の係止と解除が可能な伸縮ロック機構が取り付けられ、かつ、この伸縮ロック機構の係止、解除を行うリリースレバーを前記背凭れに取り付けられたハンドルの近傍に取り付け、前記２つの伸縮ロック機構を連結する連結リンクフレームと前記背凭れの背面との間にガスシリンダを取り付け、このガスシリンダの伸縮を配するリリースレバーを前記ハンドルの近傍に取り付け、さらに、移動するためのキャスターや車輪を具備した起伏可能な車椅子がある。
【０００３】
また、特許文献２の多機能車椅子は、車椅子を構成するフレームにおいて、背もたれフレームを軸着とし、背もたれフレームに軸着した車輪付補助脚・脚部持ち上げ部用リンク・支持リンクで構成されたリンク装置であって、リンク装置を持ち上げ装置で動作させることにより、車輪付補助脚や脚部持ち上げ部用リンクを移動させて、背もたれフレームと脚部持ち上げ部を上下させるようにし、車椅子を、前車輪・後車輪・車輪付補助脚で支持する構成となっている。
【０００４】
【特許文献１】特開平８−１２６６６６号公報
【特許文献２】特開平１０−１１８１２２号公報
【０００５】
しかしながら、上記特許文献１のものは、伸縮ロック機構を２つ設け、これらの伸縮ロック機構の係止、解除を行うリリースレバーを背凭れのハンドル近傍に設け、かつ前記２つの伸縮ロック機構を連結する連結リンクフレームと背凭れの背面との間にガスシリンダを設けているため、製造コストが上がり、かつこれらの機構によって重量がかさむ。また、不慣れな介護者はこれらの操作が煩雑である。また、上記特許文献２のものは、リンク機構をジャッキ式の持ち上げ装置で動作させるようになっており、ジャッキを操作するのは労力を要する。従って、動きは単純であるが、操作に時間がかかる。
【発明の開示】
【発明が解決しようとする課題】
【０００６】
この発明はこのような従来技術を考慮して為されたもので、操作が容易にでき、ベッドから車椅子へ、搭乗者が座ったまま車椅子ごと浴槽に入たり、トイレで用をたしたりすることができる、多機能型車椅子を提供し、上記課題を解決しようとするものである。
【課題を解決するための手段】
【０００７】
そこで、請求項１の発明は、略直方体形状の枠体から成る外枠と、前記外枠の左右幅より小さい左右幅を有する多数の四辺形枠体を折り畳み自在に接続した内枠とから成り、前記外枠は、略直方体形状の枠体の一対の相対向する一側面を前面、他側を後面とし、他対の相対向する各側面を左側及び右側とし、前面の上部の横棒及び後面下部の横棒を取り除き、左側および右側の上部水平棒の前後に、内側に向いた被係止突片を設け、左右の下部の水平棒に沿って前後に車輪を設け、
前記内枠の各四辺形枠体は、前後及び左右の幅が前記外枠の前後幅及び左右幅より小さい台座枠、当該台座枠の後方に背もたれ枠、当該背もたれ枠と同形同大の頭部枠を順次相互に回転自在に接続し、また、前記台座枠の前方に膝下枠、足載せ枠を順次相互に回転自在に接続し、これらの各枠体の内側には板状物又は網状物を張っている。
【０００８】
また、前記背もたれ枠及び頭部枠の左右の棒から棒状の背もたれ脚及び頭部脚の基部を夫々回転自在に接続し、前記膝下枠の前端内側に膝下脚の基部を回転自在に接続し、前記内枠の台座枠の左右の棒の前後に外側に向いた係止突片を設け、これらの係止突片は前記外枠の被係止突片と係合自在となっており、前記頭部脚の先端を、前記台座枠の前部に係止自在とし、前記外枠の被係止突片に前記内枠の係止突片を係合し、台座枠の後部の背もたれ枠及び頭部枠を重ねて立て、頭部脚の先端を前記台座枠の前部に係止し、前記台座枠の前部の膝下枠を、台座枠の前部に垂下させ、足載せ枠を当該膝下枠の下部から直角又直角に近く折り曲げて固定する構成とした、多機能型車椅子とした。
【０００９】
請求項２の発明は、請求項１の発明において、前記台座枠の内側に張った部材は、取り外し自在な板体からなる多機能型車椅子とした。
【００１０】
請求項３の発明は、請求項２の発明において、前記取り外し自在な板体が、中央部に透孔を有し、外枠に内枠の台座を係止して固定した際、外枠の後部内に洋式便器が挿入可能な空間を有する、多機能型車椅子とした。
【００１１】
また、請求項４の発明は、請求項１又は２の発明において、前記外枠内の後部に、気体又は液体の挿入により高さが変化する伸縮部材を挿入し、この伸縮部材の伸張により、前記台座枠を持ち上げて前記外枠との係合を解き、また、収縮により前記内枠の台座枠、背もたれ枠、頭部枠が外枠内に収納する構成とした、多機能型車椅子とした。
【００１２】
また、請求項５の発明は、請求項４の発明において、前記台座枠の四隅にアングル材からなる垂直ガイドを鉛直に設け、前部の垂直ガイドは台座枠の上下に突出するようにし、後部の垂直ガイドは台座枠の上方にのみ突出するようにし、外枠の両側の枠体の前後に、前記垂直ガイドを摺動自在に受けるアングル材から成るレール材を、前記被係止突片の前方に位置するように、鉛直に設けた、多機能型車椅子とした。
【発明の効果】
【００１３】
請求項１の発明によれば、外枠の被係止突片に台座枠の係止突片を係止して、外枠の上に、内枠の台座枠を載せ、内枠の背もたれ枠、頭部枠を伸ばして背もたれ脚、頭部脚でこれらを支持させ、また、膝下枠を略水平に伸ばして膝下脚で支持させ、また足載せ枠を伸ばして固定する。これにより患者が完全に横になれるベッドが出来上がる。また、前記背もたれ枠及び頭部枠を重ねて立て、頭部脚を回転させてその先端を台座枠の前部に係止し、膝下枠を台座枠の前端から垂下させ、足載せ枠を膝下枠の下部から直角に折り曲げて固定すれば車椅子となる。
【００１４】
請求項２の発明によれば、前記台座枠の内側に張った部材は、取り外し自在な板体から成るため、種々の板体に取り替えることが出来、例えば、クッション性の良い柔らかな部材に、又は硬い部材のものに、当該車椅子に乗る患者に応じて、又は利用時間に応じて取替が容易となる。
【００１５】
請求項３の発明によれば、患者が車椅子に乗ったままトイレで用を足すことが出来、いちいちトイレで便器に乗り移ることが不要となる。
【００１６】
請求項４の発明によれば、前記外枠内の後部に、気体又は液体の挿入により高さが変化する伸縮部材を挿入し、当該伸縮部材を伸張して前記台座枠を持ち上げ、この状態で介助者が台座を少し前方にずらせば前記外枠との係合が解け、その後伸縮部材を縮小すれば、患者は車椅子に座ったまま台座枠を低く出来、座卓等にも向かい合わせて使用できる。また、患者が乗ったまま車椅子ごと浴槽に入り、浴槽内で当該車椅子の台座枠を下げて患者が浴槽の湯に浸ることも出来る。
【００１７】
また、元の車椅子の状態に戻すには、前記伸縮部材を膨らませて台座枠を持ち上げ、一端台座枠の両脇の係止突片が外枠の両側の被係止突片の上方に来た後、介助者が台座枠を少し後方にずらし、各係止突片を各被係止突片の位置に合わせ、前記伸縮部材を縮小すれば、各係止突片は各被係止突片に係止される。その後、収縮部材をより小さくして取り去れば良い。この様に、この発明によれば、患者を乗せたまま、台座を容易に上下させることが出来る。
【００１８】
また、請求項５の発明では、台座枠の下に伸縮部材を置き、この伸縮部材の伸縮によって台座枠を上下させる際、台座枠の四隅の垂直ガイドが、外枠の各レール材に嵌合して上下するため、台座枠の上下がスムーズに行え、かつ、常に台座枠は水平を保たれ、乗っている患者を安定して上下させることが出来る。
【発明を実施するための最良の形態】
【００１９】
この発明は、前部上部と後部下部に横棒のない略直方体形状の外枠と、前記外枠の左右幅より小さい左右幅を有する多数の四辺形枠体を折り畳み自在に接続した内枠とから成り、前記外枠は左右の上部水平棒の前後に、内側に向いた被係止突片を設け、左右の下部の水平棒に沿って前後に車輪を設け、前記内枠の各四辺形枠体は、前後及び左右の幅が前記外枠の前後幅及び左右幅よりやや小さい台座枠、当該台座枠の後方に背もたれ枠、当該背もたれ枠と略同形同大の頭部枠を順次相互に回転自在に接続し、また、前記台座枠の前方に膝下枠、足載せ枠を順次相互に回転自在に接続する。
【００２０】
また、前記背もたれ枠及び頭部枠の左右の棒から棒状の背もたれ脚及び頭部脚の基部を夫々回転自在に接続し、前記膝下枠の前端に膝下脚の基部を回転自在に接続し、前記内枠の台座枠の左右の棒の前後に外側に向いた係止突片を設け、これらの係止突片は前記外枠の被係止突片と係合自在となっており、前記頭部脚の先端を、前記台座枠の前部に係止自在とし、前記外枠の被係止突片に前記内枠の係止突片を係合し、台座枠の後部の背もたれ枠及び頭部枠を重ねて立て、頭部脚の先端を前記台座枠の前部に係止し、前記台座枠の前部の膝下枠を、台座枠の前部に垂下させ、足載せ枠を当該膝下枠の下部から直角又直角に近く折り曲げて固定する構成とした、多機能型車椅子とした。
【実施例１】
【００２１】
以下、この発明の実施例を図に基づいて説明する。
図１はこの発明の車椅子を二つの部材に分けた斜視図、図２は、これらの部材を組み合わせてベッドとした状態の斜視図である。
【００２２】
この発明の車椅子は前部上部と後部下部に横棒のない略直方体形状の外枠Ａと、前記外枠Ａの左右幅より小さい左右幅を有する多数の四辺形枠体を折り畳み自在に接続した内枠Ｂとから成る。前記外枠Ａは、左右の上部水平棒の前後に、内側に向いた被係止突片１を設け、左右の下部の水平棒に沿って前後に車輪２を設けている。
【００２３】
前記内枠Ｂの各四辺形枠体は、前後及び左右の幅が前記外枠Ａの前後幅及び左右幅よりやや小さい台座枠３、当該台座枠３の後方に左右の幅が同じ背もたれ枠４、当該背もたれ枠４と略同形同大の頭部枠５を順次相互に回転自在に接続し、また、前記台座枠３の前方に左右幅が同じ膝下枠６、同じく足載せ枠７を順次相互に回転自在に接続している。また、これらの各枠体の内側に板状物又は網状物等を張る。
【００２４】
また、前記背もたれ枠４及び頭部枠５の左右の枠片から棒状の背もたれ脚８及びコの字型の頭部脚９の各基部を夫々回転自在に接続し、また、前記膝下枠６の前端内側に膝下脚１０を回転自在に接続している。そして、前記内枠Ｂの台座枠３の左右の枠辺の前後に外側に向いた係止突片１１を設け、これらの係止突片１１は前記外枠Ａの被係止突片１と係合自在となっており、前記頭部脚９を頭部枠５に対して回転させて、前記台座枠３の前部から上方に突出する突出棒１２に係止自在としている。
【００２５】
これらの外枠Ａと内枠Ｂとを用いて、ベッドにするには、図２に示すように、外枠Ａの両側の上部水平棒の前後に、内側に向いた各被係止突片１に、内枠Ｂの台座枠Ｂの両側の枠の前後から外側に向いた各係止突片１１を係合させる。この係合は図３乃至図５に示すように、前記被係止突片１には孔１ａを穿ち、前記係止突片１１には下面から突棒１１ａを設け、各係止突片１１の突棒１１ａを、被係止突片１の孔１ａに挿入することにより、係合するものである。
【００２６】
また、前記外枠Ａに内枠Ｂの台座枠３を係止した後、台座枠３の後方の背もたれ枠４、頭部枠５を拡げ、背もたれ枠４及び頭部枠５の下に、背もたれ脚８及び頭部脚９を垂下させ、これらを固定する。前記背もたれ脚８については、図６に示すように、背もたれ枠４に一端を回転自在に軸支した回転板１３の自由端の係止切欠き１３ａを、背もたれ脚８の側面に螺着したボルト１４に引っ掛け、ボルト１４を締め付け、固定する。また、前記頭部脚９については、図７に示すように、頭部枠５に一端を回転自在に軸支した回転板１５の自由端の係止切欠き１５ａを、頭部脚９の側面に螺着したボルト１６に引っ掛け、ボルト１６を締め付け、固定する。これらの背もたれ枠４と背もたれ脚８及び頭部枠５と頭部脚９の各固定は左右両側で行う。
【００２７】
また、台座枠３の前方の膝下枠６及び足載せ枠７を拡げ、膝下枠３から膝下脚１０を垂下させ、これを固定する。この膝下枠６に回転自在に設けられた膝下脚１０の接続、固定についても、左右両側で前記図６又は図７の構成が採られる。
【００２８】
また、台座枠３、背もたれ枠４、頭部枠５、膝下枠及び足載せ枠７は、相互に回転自在に接続されている。これは例えば、図８及び図９に示す構造となる。台座枠３と背もたれ枠４の突合せ箇所に蝶番１７が設けられている。この蝶番１７は、環体１７ａを二つ並べた、断面横８の字型で、一方の環体１７ａに台座枠３を回転可能に挿入し、他方の環体１７ａに背もたれ枠４を回転可能に挿入している。また、これらの蝶番１７を設ける台座枠３及び背もたれ枠４の外周に環状凹部３ａ及び環状凹部４ａを夫々設け、これらの環状凹部３ａ及び環状凹部４ａに前記各環体１７ａを被せている。これにより、前記蝶番１７は横方向にずれない。他の枠体相互の接続も前記図８、図９と同様である。
【００２９】
この様にして、内枠Ｂの台座枠３を外枠Ａに固定し、各背もたれ脚８、頭部脚９及び膝下脚１０を固定すると、図２に示すように、台座枠３、背もたれ枠４、頭部枠５、膝下枠６及び足載せ枠７が同じ高さで水平に並び、ベッドが完成する。
【００３０】
この状態から、車椅子にするには、まず、図１０に示すように、膝下枠６に回転自在に接続した膝下脚１０を前記外枠Ａの内側に入れて当該膝下枠６を台座枠３に対して略直角に折り曲げ、また、足載せ枠７を、膝下枠６の前方に略直角に折り曲げ、図１１に示すように固定する。この固定は、膝下枠６の側面に一端を軸支した回転板１８の自由端の係止切欠き１８ａを足載せ枠７の側面に螺着したボルト１９に引っ掛け、当該ボルト１９を締め付けることにより固定する。これは膝下枠６及び足載せ枠７の左右両側について行う。
【００３１】
また、図１２に示すように、台座枠３の後方の背もたれ枠４及び頭部枠５を山形に重ねて立ち上げる。その際、前記各回転板１３及び１５の係止を解き、背もたれ脚８及び頭部脚９を回転フリーにしておく。そして、頭部脚９を、図１２に示すように回転させ、図１３に示すように、頭部脚９の先端を前記台座枠３の前部両側に設けた突出棒１２に係止する。
【００３２】
この頭部脚９の突出棒１２への係止は、図１４に示すように、突出棒１２の上端に、二つ割の環状の係止具２０を設け、当該係止具２０内に頭部脚９の水平片を嵌め入れ、係止するものである。この係止具２０は、半環状の基部２０ａを前記突出棒１２に固定し、この基部２０ａに蝶番で接続された半環状の蓋部２０ｂを開閉自在とし、前記頭部脚９の水平片を基部２０ａの湾曲凹部に入れ、この上から蓋部２０ｂを被せ、当該蓋部２０ｂを基部２０ａに係止するものである。
【００３３】
これにより、患者は前記台座枠３にお尻を載せて当該車椅子に座り、上述のように前記頭部脚９を回して前記突出棒１２の上端に当該頭部脚９の先端を係止すると、この頭部脚９の水平片と台座枠３の前端との間に空間が出来、患者この間から前方に脚を出すことが出来る。また、背もたれ枠４は頭部枠５と共に前記頭部脚９に支持され、患者は背もたれ枠４に寄りかかっても頭部脚９が突出棒１２に係止されているため、背もたれ枠４は動かない。
【００３４】
また、当該車椅子に乗った患者は、前記頭部脚９が患者の左右の脇にあるため、手すりや支えとなり、さらに、前記のように患者の脚が頭部脚９の水平片と台座枠３の前部の隙間に入っていため、車椅子が多少ゆれても車椅子から落ちる恐れが無い。また、上記実施例１に代えて、頭部脚９を台座枠３の前部に直接係止する構成でも良い。この場合、上述のように、頭部脚９と台座枠３の間の間隙は無いが、頭部脚９が患者の左右の脇にあり手すりや支えとなる。
【００３５】
また、図１５に示すように、前記台座枠３の内側には、内周に水平に突出する突出縁２１ａを有する枠体２１を固定し、当該枠体２１に板体２２を着脱自在に嵌めている。この板体２２には取っ手２２ａを設けて、前記枠体２１から取り出しやすくしている。また、前記板体２２に代えて、中央部に透孔２３ａを有する板体２３を着脱自在に前記枠体２１に嵌めることもできる。この板体２３にも取っ手２３ｂを設けて、前記枠体２１から取り出しやすくしている。
【００３６】
また、この発明の車椅子は、外枠Ａは後部下部に横棒のない略直方体形状であるため、図１６に示すように、洋式便器Ｃを外枠Ａの後から外枠Ａ内に入れることが出来る。その場合、予め、前記板体２３を台座枠３の枠体２１に嵌めておく。これにより、当該車椅子に患者を乗せたまま、洋式便器Cの上方に前記中央部に透孔２３ａを有する板体２３を持っていくことができる。これにより患者が車椅子に乗ったままトイレで用を足すことが出来、いちいちトイレで便器に乗り移ることが不要となる。
【００３７】
また、この発明の車椅子は、図１７に示すように、外枠Ａの後ろから内側に気体又は液体の挿入により伸縮して高さが変化する伸縮部材Ｄを挿入し、この伸縮部材Ｄの高さを上げる。これにより台座枠３が上がり、前記外枠Ａの被係止突片１の孔１ａから内枠Ｂの台座枠３の係止突片１１の突棒１１ａが抜け、当該被係止突片１と係止突片１１の係合が解かれる。そこで、介護者等が背もたれ枠４等を前方に少し押し、この状態で前記伸縮部材Ｄの気体又は液体を排出させ、当該伸縮部材Ｄの高さを低くする。これにより、前記内枠Ｂの台座枠３、背もたれ枠４、頭部枠５が外枠Ａ内に収納され、患者が座ったまま当該車椅子の高さを低くすることが出来る。また、前記伸縮部材Ｄを使って元の状態に容易に戻すことが出来る。
【００３８】
従って、図１８に示すように、車椅子ごと浴槽Ｅに入れ、前記伸縮部材Ｄを使って上述の様に、車椅子の台座枠３等を低くすることが出来る。それ故、患者が車椅子に座ったまま浴槽Ｅに入り、湯につかることができる。
【００３９】
また、上記実施例１では、背もたれ枠４と背もたれ脚８を図６に示すように、相互に直角に固定したが、図１９に示すように、背もたれ枠４に設けた舌片３０と背もたれ脚８に設けた舌片３１とを重ね、これらの舌片３０及び３１に予め設けた孔に、馬蹄形係止片３２を入れて相互に直角に固定しても良い。これは頭部枠５と頭部脚９、膝下枠６と膝下脚１０及び膝下枠６と足載せ枠７との固定についても同様に図２３の構成が採れる。また、これらの固定構造に限るものではない。
【００４０】
また、図２０は、前記台座枠３の四隅にアングル材からなる垂直ガイド３３を垂直に設け、前部の両側の垂直ガイド３３は、当該垂直ガイド３３の中ほどを、前記台座枠３の角部にその凹部を当てて固定し、後部の両側の垂直ガイド３３は下端の凹部を、前記台座枠３の角部に当てて固定したものである。その際、台座枠３と背もたれ枠４又は膝下枠６との間に前記垂直ガイド３３を設けるが、これらの間隙は、図２１及び２２に示す蝶番１７´を用いれば可能である。また、前記外枠Ａの両側前後に、前記垂直ガイド３３を摺動自在に受ける、アングル材からなるレール材３４を夫々垂直に設けているものである。これらのレール材３４のうち、両側の後部のレール材３４の上端は、外枠Ａの上部水平片より低くなっている。また、両側の前後のレール材３４は夫々前記各被係止片１より前方に位置している。
【００４１】
これらの垂直ガイド３３を有する台座枠３の下に前記伸縮部材Ｄを置いて、台座枠３を上昇させて、上述のように、前記外枠Ａとの係合を解き、介護者が当該台座枠３を前方に押すと、両側の前部の垂直ガイド３３が外枠Ａの両側の前部のレール材３４に当り、そこで、前記伸縮部材Ｄで台座枠３を下げると、台座枠３の前部の垂直ガイド３３は外枠Ａの前部のレール材３４に沿って下がり、台座枠３の後部の垂直ガイド３３が、外枠Ａの後部のレール材３４に嵌合し、当該レール材３４に沿って下がる。さらに伸縮部材Ｄを縮ませると、台座枠３は外枠Ａの４箇所のレール材３４に沿って下降し、常に水平を保って下降する。また、前記伸縮部材Ｄを膨らませると、台座枠３の垂直ガイド３３は前記レール材３４に沿って摺動し乍上昇し、台座枠３は常に安定して上下する。
【００４２】
また、その際、図２１に示すように、台座枠３の前部に把手３５を設けておけば、介護者がこの把手３５を手で持って上下すれば、台座枠３が前のめりになったりするのを防ぐことができ、台座枠３を、さらに安定して上下させることが出来る。この把手３５は、その両側で台座枠３の前部に回転自在に支持され、必要時に起せばよい。従って、この車椅子をベッドにした場合でも、前記把手３５を倒せば邪魔にならない。また、前記蝶番１７´は、図２２に示すように、環体１７ａと環体１７ａとの間に連結体１７ｂを設けたものである。
【００４３】
また、前記伸縮部材Ｄを用いないで、当該車椅子の台座枠３の高さを低くすることも出来る。
先ず、外枠Ａの左右の上部水平片に図２１のアングル材２５を夫々固定する。これらのアングル材２５の間には予め、ゴムネット２６を張っておく。また、図２２に示すように、外枠Ａの両側の前後に、垂直に設けたレバー棒２７の上部に上部ストッパー２８を、また、下部に下部ストッパー２９を夫々略水平に突出させ、前記各レバー棒２７は回転自在に支持されている。そして、前記外枠Ａとの係合を解いた、台座枠３を前記ゴムネット２６の上に載せ、前記前後の各上部ストッパー２８を回して前記ゴムネット２６の下にしておく。これにより図２３に示すように、患者がこの車椅子に乗っても、台座枠３は左右前後の上部ストッパー２８に支持され、患者の荷重に耐えられる。
【００４４】
そして、患者が車椅子に座った状態で浴槽Ｅに入り、湯を入れない状態で、前記各レバー棒２７を軸を中心に回転させ、各上部ストッパー２８を台座枠３の下から外す。これにより患者の体重で前記ゴムネット２６が伸び、台座枠３は沈む。そこで、図２４に示すように、前記各レバー棒２７を回転させて各下部ストッパー２９を台座枠３の上に被せ、当該台座枠３が浮上するのを押さえる。この状態で患者は浴槽につかる事が出来る。そして、入浴後は、下部ストッパー２９を回転さると、浮力で患者の体重は軽くなり、台座枠３は浮き上がり、前記各レバー棒２７を回して前記各上部ストッパー２８を台座枠３の下に入れ、元の車椅子となる。
【００４５】
なお、図２３以下の前記実施例ではアングル材２５を用い、２つのアングル材２５を夫々外枠Ａの左右の上部水平片に固定し、これらのアングル材２５の間にゴムネット２６を張ったが、これらのアングル材２５を用いずに、外枠Ａの左右の上部水平片にゴムネット２６の端部を直接係止して、左右の上部水平片間にゴムネット２６を張り、このゴムネット２６の上に台座枠３を乗せる構成にしてもよい。この場合においても、前記レバー棒２７、上部ストッパー２８及び下部ストッパー２９は同様に設けるため、各部は上述と同様に作用する。
【図面の簡単な説明】
【００４６】
【図１】この発明の実施例１の外枠と内枠とを分離した状態を示す斜視図である。
【図２】この発明の実施例１の車椅子をベッドにした状態を示す斜視図である。
【図３】この発明の実施例1の外枠に内枠の台座枠を係止した状態を示す平面図である。
【図４】この発明の実施例１の外枠と内枠の台座枠との係止状態を示す要部断面図である。
【図５】この発明の実施例１の外枠と内枠の台座枠との係止を解いた状態を示す要部断面図である。
【図６】この発明の実施例１の背もたれ枠と背もたれ脚との固定状態を示す図、であり、（Ａ）図は正面図、（Ｂ）図は側面図である。
【図７】この発明の実施例１の頭部枠と頭部脚との固定状態を示す図、であり、（Ａ）図は正面図、（Ｂ）図は側面図である。
【図８】この発明の実施例１の台座枠と背もたれ枠との蝶番による回転自在な接続構造を示す縦断面図である。
【図９】この発明の実施例１の台座枠と背もたれ枠との蝶番による回転自在な接続構造を示す横断面図である。
【図１０】この発明の実施例１の車椅子の組立て途中を示す斜視図である。
【図１１】この発明の実施例１の膝下枠と足載せ枠との固定状態を示す正面図である。
【図１２】この発明の実施例１の車椅子の組立て途中を示す斜視図である。
【図１３】この発明の実施例１の車椅子の組立て完成時の斜視図である。
【図１４】この発明の実施例１の突出棒に頭部脚を係止する構造を示す図であり、（Ａ）図は突出棒に頭部脚を係止した状態を示す部分拡大図、（Ｂ）図は突出棒から頭部脚を外した状態を示す部分拡大図である。
【図１５】この発明の実施例１の台座枠に嵌める枠体、板体の分解斜視図である。
【図１６】この発明の実施例１の車椅子を洋式便器に嵌めた状態を示す斜視図である。
【図１７】この発明の実施例１の車椅子に伸縮部材を入れた状態を示す正面図である。
【図１８】この発明の実施例１の車椅子を浴槽内で伸縮部材を縮ませて台座枠を低くした状態の正面図である。
【図１９】この発明の実施例１の車椅子の背もたれ枠に背もたれ脚を固定した状態を示す他の例の斜視図である。
【図２０】この発明の実施例１の車椅子の台座枠に垂直ガイドを設け、外枠にレール材を設けた分解斜視図である。
【図２１】この発明の実施例１の車椅子の台座枠に垂直ガイドを設けた詳細斜視図である。
【図２２】この発明の実施例１の蝶番の他の例を示す斜視図である。
【図２３】この発明の外枠の両側にアングル材を固定し、これらのアングル材の間にゴムネットを張りめぐらせ、この上に台座枠を置く状態を示す部分斜視図である。
【図２４】この発明の応用例の外枠に、上下に上部ストッパー及び下部ストッパーを具備したレバー棒を取り付けた状態の正面図である。
【図２５】この発明の応用例の、外枠の上部ストッパーに台座枠を係止した状態の側面図である。
【図２６】この発明の応用例の、外枠の下部ストッパーに台座枠を係止した状態の側面図である。
【符号の説明】
【００４７】
Ａ      外枠                        Ｂ      内枠
Ｃ      洋式便器                    Ｄ      伸縮部材
Ｅ      浴槽                        
１      被係止突片                  １ａ    孔
２      車輪                        ３      台座枠
３ａ    環状凹部                    ４      背もたれ枠
４ａ    環状凹部                    ５      頭部枠
６      膝下枠                      ７      足載せ枠
８      背もたれ脚                  ９      頭部脚
１０      膝下脚                    １１      係止突片
１１ａ    突棒                      １２      突出棒
１３      回転板                    １３ａ    係止切欠き
１４      ボルト                    １５      回転板
１５ａ    係止切欠き                １６      ボルト
１７      蝶番                      １７ａ    環体
１７´    蝶番                      １７ｂ    連結体
１８      回転板                    １９      ボルト  
２０      係止具                    ２１      枠体
２１ａ    突出縁                    ２２      板体
２２ａ    取っ手                    ２３      板体
２３ａ    透孔                      ２３ｂ    取っ手
２５      アングル材                ２６      ゴムネット
２７      レバー棒                  ２８      上部ストッパー
２９      下部ストッパー            ３０      舌片
３１      舌片                      ３２      馬蹄形係止片
３３      垂直ガイド                ３４      レール材
３５      把手
【要約】
【課題】操作が容易にでき、ベッドから車椅子へ、搭乗者が座ったまま車椅子ごと浴槽に入たり、トイレで用をたしたりすることができる多機能型車椅子。
【解決手段】前部上部と後部下部に横棒のない略直方体形状の外枠Ａと、前記外枠Ａの左右幅より小さい左右幅を有する多数の四辺形枠体を折り畳み自在に接続した内枠Ｂとから成り、前記外枠Ａは、左右の上部水平棒の前後に、内側に向いた被係止突片１を設け、左右の下部の水平棒に沿って前後に車輪２を設け、前記内枠Ｂの各四辺形枠体は、前後及び左右の幅が前記外枠Ａの前後幅及び左右幅よりやや小さい台座枠３、当該台座枠３の後方に左右の幅が同じ背もたれ枠４、頭部枠５を順次相互に回転自在に接続し、また、前記台座枠３の前方に左右幅が同じ膝下枠６、足載せ枠７を順次相互に回転自在に接続し、前記台座枠の両側前後に係止突片１１を設けている。
【選択図】        図１【図１】
0004198739.tif 000002
【図３】
0004198739.tif 000003
【図４】
0004198739.tif 000004
【図５】
0004198739.tif 000005
【図６】
0004198739.tif 000006
【図７】
0004198739.tif 000007
【図８】
0004198739.tif 000008
【図９】
0004198739.tif 000009
【図１０】
0004198739.tif 000010
【図１１】
0004198739.tif 000011
【図１２】
0004198739.tif 000012
【図１３】
0004198739.tif 000013
【図１４】
0004198739.tif 000014
【図１５】
0004198739.tif 000015
【図１６】
0004198739.tif 000016
【図１７】
0004198739.tif 000017
【図１８】
0004198739.tif 000018
【図１９】
0004198739.tif 000019
【図２０】
0004198739.tif 000020
【図２１】
0004198739.tif 000021
【図２２】
0004198739.tif 000022
【図２３】
0004198739.tif 000023
【図２４】
0004198739.tif 000024
【図２５】
0004198739.tif 000025
【図２６】
0004198739.tif 000026
【図２】
0004198739.tif 000027